(57)【要約】【課題】表示画像の表示遅延を低減し、かつ表示画像の描画範囲の制限を低減する映像表示システムを提供する。【解決手段】映像表示システムは、描画部２４と、補正部２５と、表示部２０と、投影部と、本体部とを備えている。描画部２４は、画像を描画する。補正部２５は、描画部２４で描画された画像を補正する。表示部２０は、補正部２５で補正された画像を表示する。投影部は、表示部２０の出力光により、画像に対応する虚像を対象空間に投影する。本体部は、表示部２０及び投影部が実装される。描画部２４は、本体部１の姿勢変化である第１姿勢変化を表す第１姿勢信号に基づいて、対象空間での虚像の表示位置を補正する第１補正処理を実行する。補正部２５は、本体部１の姿勢変化であって第１姿勢変化よりも変化速度の速い第２姿勢変化を表す第２姿勢信号に基づいて、対象空間での虚像の表示位置を補正する第２補正処理を実行する。【選択図】図４
2019164318.tif 000002
【特許請求の範囲】
【請求項１】
画像を描画する描画部と、
前記描画部で描画された前記画像を補正する補正部と、
前記補正部で補正された前記画像を表示する表示部と、
前記表示部の出力光により、前記画像に対応する虚像を対象空間に投影する投影部と、
前記表示部及び前記投影部が実装される本体部と、を備え、
前記描画部は、前記本体部の姿勢変化である第１姿勢変化を表す第１姿勢信号に基づいて、前記対象空間での前記虚像の表示位置を補正する第１補正処理を実行し、
前記補正部は、前記本体部の姿勢変化であって前記第１姿勢変化よりも変化速度の速い第２姿勢変化を表す第２姿勢信号に基づいて、前記対象空間での前記虚像の表示位置を補正する第２補正処理を実行する
映像表示システム。
【請求項２】
前記補正部は、前記画像に前記第２補正処理とは別の歪み補正を更に実行する
請求項１に記載の映像表示システム。
【請求項３】
前記補正部は、
前記画像を保存するバッファと、
前記バッファで保存された前記画像に前記第２補正処理を実行し、前記第２補正処理を実行した前記画像を前記表示部に出力する補正部本体と、を備える
請求項１又は２に記載の映像表示システム。
【請求項４】
前記第１姿勢信号を出力する第１検出部と、
前記第２姿勢信号を出力する第２検出部と、を更に備える
請求項１〜３のいずれか１項に記載の映像表示システム。
【請求項５】
請求項１〜４のいずれか１項に記載の映像表示システムと、
前記映像表示システムが設けられた移動体本体と、を備える
移動体。
【請求項６】
画像を表示する表示部と、
前記表示部の出力光により、前記画像に対応する虚像を対象空間に投影する投影部と、
前記表示部及び前記投影部が設けられた本体部と、を有する映像表示システムを用いた映像表示方法であって、
前記画像を描画する描画処理と、
前記描画処理で描画された前記画像を補正して前記表示部に出力する補正処理と、を含み、
前記描画処理は、前記本体部の姿勢変化である第１姿勢変化を表す第１姿勢信号に基づいて、前記対象空間での前記虚像の表示位置を補正する第１補正処理を含み、
前記補正処理は、前記本体部の姿勢変化であって前記第１姿勢変化よりも変化速度の速い第２姿勢変化を表す第２姿勢信号に基づいて、前記対象空間での前記虚像の表示位置を補正する第２補正処理を含む
映像表示方法。
【請求項７】
コンピュータに、
請求項６に記載の映像表示方法を実行させるためのプログラム。
【発明の詳細な説明】
【技術分野】
【０００１】
本開示は、一般に映像表示システム、映像表示方法、プログラム、及び映像表示システムを備える移動体に関し、より詳細には、対象空間に虚像を投影する映像表示システム、映像表示方法、プログラム、及び映像表示システムを備える移動体に関する。
【背景技術】
【０００２】
従来、対象空間に虚像を投影する映像表示システムとして、特許文献１に記載のヘッドアップディスプレイ装置が知られている。このヘッドアップディスプレイ装置は、表示器から出力された表示光を車両のフロントガラスに照射することで、ユーザに、表示器の表示画像の虚像を車両の前方の実景と重ねて視認させている。
【０００３】
このヘッドアップディスプレイ装置は、車両振動入力部と、表示制御部と、を備えている。車両振動入力部には、車両の振動情報（すなわち車両の姿勢情報）が入力される。表示制御部は、振動情報に基づいて表示画像を補正することで、虚像の表示位置を補正する。より詳細には、表示制御部は、表示画像を第１のレイヤーに描画した後、第１のレイヤーに描画された表示画像の表示位置を、車両の振動を相殺する方向に移動させる。なお、第１のレイヤーは、表示器の表示面に対応して仮想的に設けられた面である。この結果、車両が振動しても、虚像の表示位置が、実景中の対象物に対して所定の位置関係を保つように補正される。
【先行技術文献】
【特許文献】
【０００４】
【特許文献１】特開２０１７−１３５９０号公報
【発明の概要】
【発明が解決しようとする課題】
【０００５】
上記のヘッドアップディスプレイ装置では、振動情報に基づく表示画像の表示位置の補正は、表示画像を描画する描画処理にて実行される。このため、表示部の表示遅延（例えば数フレーム分の遅延）が発生し易い。また、表示画像の表示位置をずらす補正を行うと、ずらした分、表示画像が表示面の外に切れる。この画像切れを低減するには、表示画像を描画するときに、描画可能な描画範囲を狭い範囲に制限する必要がある。
【０００６】
本開示は、上記事由に鑑みて、表示画像の表示遅延を低減し、かつ表示画像の描画範囲の制限を低減することができる映像表示システム、映像表示方法、プログラム、及び映像表示システムを備える移動体を提供することを目的とする。
【課題を解決するための手段】
【０００７】
本開示の一態様に係る映像表示システムは、描画部と、補正部と、表示部と、投影部と、本体部と、を備える。前記描画部は、画像を描画する。前記補正部は、前記描画部で描画された前記画像を補正する。前記表示部は、前記補正部で補正された前記画像を表示する。前記投影部は、前記表示部の出力光により、前記画像に対応する虚像を対象空間に投影する。前記本体部は、前記表示部及び前記投影部が設けられる。前記描画部は、前記本体部の姿勢変化である第１姿勢変化を表す第１姿勢信号に基づいて、前記対象空間での前記虚像の表示位置を補正する第１補正処理を実行する。前記補正部は、前記本体部の姿勢変化であって前記第１姿勢変化よりも変化速度の速い第２姿勢変化を表す第２姿勢信号に基づいて、前記対象空間での前記虚像の表示位置を補正する第２補正処理を実行する。
【０００８】
本開示の一態様に係る移動体は、前記映像表示システムと、移動体本体と、を備える。前記移動体本体は、前記映像表示システムが設けられる。
【０００９】
本開示の一態様に係る  映像表示方法は、表示部と、投影部と、本体部と、を有する映像表示システムを用いた映像表示方法である。前記表示部は、画像を表示する。前記投影部は、前記表示部の出力光により、前記画像に対応する虚像を対象空間に投影する。前記本体部は、前記表示部及び前記投影部が設けられている。上記の映像表示方法は、描画処理と、補正処理と、を含む。前記描画処理は、前記画像を描画する。前記補正処理は、前記描画処理で描画された前記画像を補正して前記表示部に出力する。前記描画処理は、前記本体部の姿勢変化である第１姿勢変化を表す第１姿勢信号に基づいて、前記対象空間での前記虚像の表示位置を補正する第１補正処理を含む。前記補正処理は、前記本体部の姿勢変化であって前記第１姿勢変化よりも変化速度の速い第２姿勢変化を表す第２姿勢信号に基づいて、前記対象空間での前記虚像の表示位置を補正する第２補正処理を含む。
【００１０】
本開示の一態様に係るプログラムは、コンピュータに、前記映像表示方法を実行させるためのプログラムである。
【発明の効果】
【００１１】
本開示は、表示画像の表示遅延を低減し、かつ表示画像の描画範囲の制限を低減することができる、という利点がある。
【図面の簡単な説明】
【００１２】
【図１】図１は、本実施形態に係る映像表示システムの構成を示すブロック図である。
【図２】図２は、同上の映像表示システムを備える自動車の概念図である。
【図３】図３は、同上の映像表示システムを用いた場合の運転者の視野を示す概念図である。
【図４】図４は、同上の映像表示システムの画像表示部の構成を示すブロック図である。
【発明を実施するための形態】
【００１３】
（実施形態）
（１）概要
本実施形態に係る映像表示システム１０は、図１及び図２に示すように、例えば、移動体本体としての自動車１００に用いられるヘッドアップディスプレイ（ＨＵＤ：Head-Up Display）である。本実施形態では、映像表示システム１０と、映像表示システム１０が設けられた自動車１００（移動体本体）と、を含む全体を移動体とする。
【００１４】
映像表示システム１０は、自動車１００のウインドシールド１０１に下方から画像を投影するように、自動車１００の車室内に配置されている。図２の例では、ウインドシールド１０１の下方のダッシュボード１０２内に、映像表示システム１０が配置されている。映像表示システム１０からウインドシールド１０１に画像が投影されると、ユーザ（運転者）２００は、ウインドシールド１０１に投影された画像を、自動車１００の前方（車外）に設定された対象空間４００内に表示された虚像３００として視認する。
【００１５】
ここでいう「虚像」は、映像表示システム１０から出射される画像光がウインドシールド１０１等の反射物にて発散するとき、その発散光線によって、実際に物体があるように結ばれる像を意味する。また、ウインドシールド１０１は、画像７００が投影される投影対象物である。
【００１６】
そのため、自動車１００を運転しているユーザ２００は、図３に示すように、自動車１００の前方に広がる実景に重ねて、映像表示システム１０にて投影される虚像３００を見ることができる。したがって、映像表示システム１０によれば、種々の運転支援情報を虚像３００として実景と重ねて表示して、ユーザ２００に視認させることができる。運転支援情報は、例えば、車速情報、ナビゲーション情報、歩行者情報、前方車両情報、車線逸脱情報、及び車両コンディション情報等である。これにより、ユーザ２００は、ウインドシールド１０１の前方に視線を向けた状態から僅かな視線移動だけで、運転支援情報を視覚的に取得することができる。
【００１７】
対象空間４００に表示される虚像３００は、例えば、ナビゲーション情報として自動車１００の進行方向を示す情報であり、路面６００上に右折又は左折を示す矢印である。この種の虚像３００は、拡張現実（ＡＲ：Augmented Reality）技術を用いて表示される画像であって、ユーザ２００から見た実景（路面６００、建物、周辺車両、及び歩行者等）における特定の位置に重畳して表示される。
【００１８】
対象空間４００に表示成される虚像３００は、映像表示システム１０の光軸５００に交差する仮想面５０１上に形成される。光軸５００は、自動車１００の前方の対象空間４００において、自動車１００の前方の路面６００に沿っている。虚像３００が形成される仮想面５０１は、路面６００に対して略垂直である。例えば、路面６００が水平面である場合には、虚像３００は鉛直面に沿って表示される。
【００１９】
映像表示システム１０は、図１に示すように、画像表示部２と、投影部３と、本体部１と、を備えている。画像表示部２は、表示面２０ａを有し、表示面２０ａに画像７００を表示する。投影部３は、画像表示部２の出力光により、画像７００に対応する虚像３００（図２参照）を対象空間４００（図２参照）に投影する投影処理を実行する。本体部１には、これら画像表示部２及び投影部３が設けられている。
【００２０】
このような本体部１が自動車１００に搭載された状態では、例えば、路面６００の状況、及び自動車１００の加減速等に起因して、本体部１の姿勢が自動車１００の姿勢と共に変化する。具体的には、例えば、自動車１００が減速等により前傾姿勢になれば本体部１も前傾姿勢となり、自動車１００が加速等により後傾姿勢になれば本体部１も後傾姿勢になる。映像表示システム１０の本体部１の姿勢が変化すると、虚像３００と実景との相対的な配置関係が変化する。そのため、例えば、本体部１の姿勢が変化した場合に、虚像３００は、ユーザ２００から見た実景において本来重畳すべき特定の位置からずれた位置に表示される。
【００２１】
そこで、映像表示システム１０は、図４に示すように、本体部１の姿勢変化に応じて、虚像３００が実景の本来重畳すべき特定の位置に表示されるように、対象空間４００での虚像３００の表示位置を補正する第１補正部４１及び第２補正部４２を備えている。第１補正部４１は、本体部１の姿勢変化である第１姿勢変化に応じて、虚像３００の表示位置を補正する第１補正処理を実行する。第２補正部４２は、本体部１の姿勢変化である第２姿勢変化に応じて、虚像３００の表示位置を補正する第２補正処理を実行する。第２補正部４２は、第１補正部による第１補正処理の実行タイミングとは異なるタイミングで第２補正処理を実行する。なお、第２姿勢変化は、第１姿勢変化よりも変化速度の速い姿勢変化である。
【００２２】
第１姿勢変化とは、本体部１の姿勢変化の変化速度が比較的遅い姿勢変化である。つまり、第１姿勢変化とは、第１周波数未満の周波数の振動（姿勢変化）である。換言すれば、第１姿勢変化とは、本体部１の姿勢変化の発生頻度が第１頻度よりも低い姿勢変化である。さらに換言すれば、第１姿勢変化とは、本体部１の姿勢変化後の姿勢が一定時間継続するような本体部１の姿勢変化である。このような第１姿勢変化は、例えば、自動車１００の加減速による姿勢変化などである。
【００２３】
第２姿勢変化とは、本体部１の姿勢変化の変化速度が比較的速い姿勢変化である。第２姿勢変化と第１姿勢変化とを比べると、第２姿勢変化は、第１姿勢変化の変化速度よりも速い姿勢変化である。つまり、第２姿勢変化とは、本体部１における第２周波数以上の周波数の振動（姿勢変化）である。換言すれば、第２姿勢変化とは、本体部１の姿勢変化の発生頻度が第２頻度よりも高い姿勢変化である。さらに換言すれば、第２姿勢変化とは、時間経過に伴って本体部１の姿勢が変化するような本体部１の姿勢変化である。このような第２姿勢変化は、例えば、自動車１００が凸凹道を走行したときの自動車１００の上下動に伴って生じる。上記の第１周波数及び第２周波数は、互いに同じ値であってもよく、異なる値であってもよい。上記の第１頻度及び第２頻度は、互いに同じ値であってもよく、異なる値であってもよい。
【００２４】
これにより、本体部１の姿勢変化に応じて、虚像３００の表示位置が補正される。そのため、例えば、自動車１００に第１姿勢変化又は第２姿勢変化を生じても、映像表示システム１０は、虚像３００を、ユーザ２００から見た実景において本来重畳すべき特定の位置に重畳して表示することが可能である。
【００２５】
そして、映像表示システム１０では、第１補正部４１及び第２補正部４２は、自動車１００の姿勢変化の種類（第１姿勢変化又は第２姿勢変化）に応じて、使い分けられている。したがって、自動車１００の姿勢変化に連動して本体部１に様々な姿勢変化が生じた場合でも、姿勢変化の種類（第１姿勢変化又は第２姿勢変化）に応じて、画像表示部２での複数の処理段階の中の適した処理段階で、虚像３００の表示位置を補正できる。
【００２６】
例えば、第２姿勢変化に対する虚像３００の表示位置の補正処理は、リアルタイム性が要求されるため、リアルタイムで処理可能な処理段階で実行される。第１姿勢変化に対する虚像の表示位置の補正処理は、リアルタイム性が要求されないため、補正処理の際に画像７００の描画範囲が制限され難い処理段階で実行される。その結果、本体部１の姿勢変化に応じて虚像３００の表示位置を補正するとき、虚像３００の表示遅延を低減し、かつ虚像３００に対応する画像７００の描画範囲の制限を低減できる、という利点がある。
【００２７】
（２）構成
映像表示システム１０は、図１に示すように、本体部１と、画像表示部２と、投影部３と、振動センサ５と、ローパスフィルタ６と、ハイパスフィルタ７と、を備えている。振動センサ５とローパスフィルタ６とで、本体部１の第１姿勢変化を検出して第１姿勢信号として出力する第１検出部が構成されている。振動センサ５とハイパスフィルタ７とで、本体部１の第２姿勢変化を検出して第２姿勢信号として出力する第２検出部が構成されている。
【００２８】
本体部１は、例えば、筐体にて構成されている。本体部１内には、画像表示部２、投影部３、振動センサ５、ローパスフィルタ６及びハイパスフィルタ７が収容（実装）されている。本体部１は、図２に示すように、自動車１００のダッシュボード１０２内に固定される。本体部１は、筐体でなく、例えば、フレーム又は板材等であってもよい。なお、画像表示部２は、後述のように、表示部２０と、画像形成部２１と、を備えるが、表示部２０及び画像形成部２１のうち、画像形成部２１は、本体部１に設けられても設けられなくてもよい。
【００２９】
振動センサ５は、本体部１に加わる振動を検出するセンサであり、本体部１に加わる振動を検出することで、本体部１の第１姿勢変化及び第２姿勢変化を検出している。すなわち、本体部１に加わる振動には、第１周波数未満の周波数の振動（第１姿勢変化の情報）と、第２周波数以上の周波数の振動（第２姿勢変化の情報）とが含まれている。本体部１は自動車１００に固定されているため、本体部１に加わる振動は、自動車１００に加わる振動と同じである。このため、振動センサ５は、自動車１００に加わる振動を検出することで、本体部１に加わる振動を検出する。振動センサ５は、自動車１００に加わる振動の情報として、例えば自動車１００の振動で変化する自動車１００のピッチ角を検出する。振動センサ５は、検出した振動に応じた信号をローパスフィルタ６及びハイパスフィルタ７に出力する。
【００３０】
ローパスフィルタ６は、振動センサ５から出力された信号のうち、第１周波数以上の周波数の信号は通過させず、第１周波数未満の周波数の信号（すなわち第１姿勢変化を表す信号）を通過させる。そして、ローパスフィルタ６は、通過させた信号を第１姿勢信号として画像表示部２に出力する。ハイパスフィルタ７は、振動センサ５から出力された信号のうち、第２周波数未満の周波数の信号は通過させず、第２周波数以上の周波数の信号（すなわち第２姿勢変化を表す信号）を通過させる。そして、ハイパスフィルタ７は、通過させた信号を第２姿勢信号として画像表示部２に出力する。第１姿勢信号は、本体部１の第１姿勢変化を表す姿勢信号である。第２姿勢信号は、本体部１の第２姿勢変化を表す姿勢信号である。振動センサ５は、例えばジャイロセンサ（角速度センサ）である。なお、振動センサ５は、ジャイロセンサに限定されず、例えば加速度センサでもよい。
【００３１】
画像表示部２は、表示面２０ａを有し、表示面２０ａに画像７００を表示し、表示した画像７００を投影部３に向けて照射する。画像表示部２は、図１に示すように、表示部２０と、画像形成部２１と、を有している。表示部２０は、画像７００を表示する表示処理を実行し、表示した画像７００を表示部２０の前方に照射する。画像形成部２１は、表示部２０に表示される画像７００を形成する画像形成処理を実行する。本実施形態では、画像７００は、自動車１００の目的地までの走行経路を案内するために、自動車１００が走行する路面上に表示される矢印を表す画像である。以下、矢印画像７００とも記載する。したがって、虚像３００も矢印を表す像である（図３参照）。
【００３２】
より詳細には、画像形成部２１は、自動車１００に搭載されたナビゲーション装置からナビゲーション情報を取得する。ナビゲーション情報は、例えば、自動車１００が向かう目的地までの走行経路、及び、直近の交差点までの距離などのナビゲーション情報である。そして、画像形成部２１は、取得したナビゲーション情報に基づいて、自動車１００が走行経路上の直近の交差点に一定距離まで接近したと判定すると、上記の交差点での進行方向を案内するための矢印画像７００を形成する。その際、矢印画像７００は、その虚像３００が対象空間４００内の既定位置（例えば上記の交差点に沿って重なる位置）４０１に表示されるように形成される。そして、画像形成部２１は、形成した矢印画像７００を表示部２０に出力する。これにより、本体部１に姿勢変化が生じていなければ、矢印画像７００の虚像３００は、対象空間４００の既定位置（例えば上記の交差点に沿って重なる位置）４０１に表示される。
【００３３】
また、画像形成部２１は、ローパスフィルタ６からの第１姿勢信号及びハイパスフィルタ７からの第２姿勢信号を取得することで、本体部１の第１姿勢変化及び第２姿勢変化に関する姿勢情報を取得する。本体部１に姿勢変化が生じた場合は、虚像３００と実景との相対的な配置関係が変化するため、対象空間４００において、虚像３００が、実景における本体重畳すべき特定の位置（例えば交差点）からずれた位置に表示される。例えば、自動車１００が後傾姿勢になると、ユーザ２００の視線が上がり、ユーザ２００から見た実景が相対的に下方に移動する。この結果、対象空間４００内において、虚像３００が、交差点よりも上がった位置に表示される。このため、画像形成部２１は、取得した姿勢情報に基づいて表示面２０ａでの画像７００の表示位置を補正することで、対象空間４００において、虚像３００の表示位置を、既定位置４０１から、交差点に沿って重なる位置へと補正する。
【００３４】
投影部３は、画像表示部２の表示面２０ａからの出力光により、画像７００に対応する虚像３００を対象空間４００に投影する。本実施形態では、映像表示システム１０は上述したようにヘッドアップディスプレイであるため、投影部３は、ウインドシールド１０１（図２参照）に画像７００を投影する。
【００３５】
投影部３は、図１に示すように、第１ミラー３１と、第２ミラー３２と、を有している。第１ミラー３１及び第２ミラー３２は、画像表示部２から、出力光の光路上に、第１ミラー３１、第２ミラー３２の順で配置されている。より詳細には、第１ミラー３１は、画像表示部２の出力光が入射するように、画像表示部２の表示面２０ａの前方に配置されている。第１ミラー３１は、画像表示部２の出力光を、第２ミラー３２に向けて反射する。第２ミラー３２は、第１ミラー３１で反射された画像表示部２の出力光が入射するような位置（例えば第１ミラー３１の前方下側の位置）に配置されている。第２ミラー３２は、第１ミラー３１で反射された画像表示部２の出力光を、上方（すなわちウインドシールド１０１）に向けて反射する。第１ミラー３１は、例えば凸面鏡であり、第２ミラー３２は、例えば凹面鏡である。
【００３６】
この構成により、投影部３は、画像表示部２の表示面２０ａに表示された画像７００を、適当な大きさに拡大又は縮小して、投影画像としてウインドシールド１０１に投影する。この結果、対象空間４００に虚像３００が表示される。つまり、自動車１００を運転しているユーザ２００の視野内では、映像表示システム１０から投影された画像７００の虚像３００が、自動車１００の前方に広がる実景に重ねて表示される。
【００３７】
図４を参照して、画像形成部２１及び表示部２０について詳しく説明する。
【００３８】
画像形成部２１は、図４に示すように、描画部２４と、補正部２５と、を備えている。描画部２４は、表示部２０に表示される画像７００（図１参照）を描画する描画処理を実行する。描画部２４は、描画部本体２４１と、描画バッファ２４２と、を備えている。描画部本体２４１は、画像７００を形成し、描画バッファ２４２は、描画部本体２４１で描画された画像７００を一時的に保存して補正部２５に出力する。補正部２５は、描画部２４で描画された画像７００に各種の補正を行う補正処理を実行して、補正処理した画像７００を表示部２０に出力する。
【００３９】
本実施形態では、描画部本体２４１は、画像形成部２１が取得した上記のナビゲーション情報に基づいて、上述のように、交差点での進行方向を案内するための画像（矢印画像）７００を描画する。
【００４０】
また、描画部本体２４１は、ローパスフィルタ６からの第１姿勢信号に基づいて、本体部１の第１姿勢変化による虚像３００と実景とのずれを相殺するように、画像７００を補正する。この画像７００の補正処理（第１補正処理）は、画像７００の描画時に実行される。より詳細には、描画部本体２４１は、ローパスフィルタ６からの第１姿勢信号に基づいて、本体部１に第１姿勢変化が生じたと判定する。このように判定したとき、描画部本体２４１は、本体部１の第１姿勢変化による虚像３００と実景とのずれが相殺されるように画像７００を描画することで、画像７００を補正する。これにより、本体部１に第１姿勢変化が生じても、対象空間４００において、虚像３００が、ユーザ２００から見た実景における本来重畳すべき特定の位置（例えば交差点に沿って重なる位置）に位置に表示される。このように、描画部本体２４１（したがって描画部２４）は、本体部１の第１姿勢変化に応じて虚像３００の表示位置を補正する第１補正部４１としても機能している。
【００４１】
このように、描画部本体２４１は、第１姿勢信号に基づいて、本体部１の第１姿勢変化に応じて、虚像３００の表示位置を補正する補正処理（第１補正処理）を画像７００に実行する。本実施形態では、描画部本体２４１（したがって描画部２４）が、本体部１の第１姿勢変化に応じて虚像３００の表示位置を補正する第１補正部４１として機能している。
【００４２】
より詳細には、描画部本体２４１は、画像７００を描画するときは、まず、対象空間４００に対応した３次元仮想空間内で、画像７００に対応した３次元画像を描画する。そして、描画部本体２４１は、描画した３次元画像を、３次元仮想空間内の所定の射影面に射影することで２次元画像に変換し、この２次元画像を画像７００とする。また、描画部本体２４１は、画像７００の描画時に画像を補正するときは、上記の３次元仮想空間内で上記の３次元画像を描画したときに、上記の３次元画像の位置及び／又は角度を補正することで、画像７００を補正する。
【００４３】
このように、本体部１の第１姿勢変化に対する虚像３００の表示位置の補正処理（すなわちリアルタイム性が要求されない補正処理）は、画像７００の描画時に実行される。これにより、画像７００を表示面２０ａに表示したときに、画像７００の一部が表示面２０ａの外に切れること（すなわち画像切れ）を抑制できる。すなわち、リアルタイム性よりも画像切れを低減することができる。この結果、画像７００の描画範囲が制限されることを低減できる。
【００４４】
補正部２５は、図４に示すように、映像補正部２５１と、出力バッファ２５２（バッファ）と、振動・歪み補正部２５３（補正部本体）と、を備えている。
【００４５】
映像補正部２５１は、描画バッファ２４２から出力された画像（すなわち描画部２４で描画された画像）７００に色調補正処理を行う。色調補正処理とは、画像７００の各部の色を調整する補正処理である。より詳細には、映像補正部２５１は、描画部２４で描画された画像７００の各部の色を、定められた色となるように補正する。例えば、描画部２４で描画された画像７００において、白色と定められた部分に赤味がかっている場合は、その赤味がかかった部分を白色に補正する。映像補正部２５１は、色調補正した画像７００を出力バッファ２５２に出力する。
【００４６】
出力バッファ２５２は、映像補正部２５１から出力された画像７００を一時的に保存して振動・歪み補正部２５３に出力する。
【００４７】
振動・歪み補正部２５３は、出力バッファ２５２から出力された画像（すなわち描画部２４で描画された画像）７００に、振動補正処理（第２補正処理）及び歪み補正処理を実行する。振動・歪み補正部２５３は、補正した画像７００を表示部２０に出力する。
【００４８】
振動補正処理（第２補正処理）では、振動・歪み補正部２５３は、ハイパスフィルタ７からの第２姿勢信号に基づいて、本体部１の第２姿勢変化による虚像３００と実景とのずれを相殺するように、出力バッファ２５２から出力された画像７００を補正する。より詳細には、振動・歪み補正部２５３は、ハイパスフィルタ７からの第２姿勢信号に基づいて、本体部１に振動（すなわち第２姿勢変化）が生じたと判定する。このように判定したとき、振動・歪み補正部２５３は、本体部１の振動による虚像３００と実景とのずれを相殺するように、出力バッファ２５２から出力された画像７００を補正する。この補正処理では、画像７００が表示面２０ａに表示されたとき、画像７００が所定方向（本体部１の振動による虚像３００と実景とのずれを相殺する方向）にずれて表示されるように、画像７００を補正する。このように、振動・歪み補正部２５３は、第２姿勢信号に基づいて、虚像３００の表示位置を補正する補正処理（第２補正処理）を画像７００に実行する。本実施形態では、振動・歪み補正部２５３（したがって補正部２５）が、本体部１の第２姿勢変化に応じて虚像３００の表示位置を補正する第２補正部４２として機能している。
【００４９】
この振動補正により、本体部１に第２姿勢変化が生じても、対象空間４００において、虚像３００が、ユーザ２００から見た実景における本来重畳すべき特定の位置（例えば交差点に沿って重なる位置）に位置に表示される。このように、補正部２５は、本体部１の第２姿勢変化に応じて虚像３００の表示位置を補正する第２補正部４２としても機能している。
【００５０】
歪み補正処理では、振動・歪み補正部２５３は、ウインドシールド１０１及び投影部３での反射で虚像３００に生じる歪みが無くなるように、出力バッファ２５２から出力された画像７００を補正する。本実施形態では、歪み補正処理は、振動補正処理の後に実行される。すなわち、振動補正処理及び歪み補正処理は、この順で連続して行われる。
【００５１】
このように、本体部１の第２姿勢変化に対する虚像３００の表示位置の補正処理（すなわちリアルタイム性が要求される補正処理）は、出力バッファ２５２の後段かつ表示部２０の前段（すなわち画像形成過程の最終段）で実行される。これにより、表示部２０での表示遅延を低減して、本体部１の第２姿勢変化に対する虚像３００の表示位置の補正を実行することができる。
【００５２】
画像形成部２１の画像形成処理は、画像７００の形成に際して順次実行される複数のステップを含む。複数のステップの各々は、描画部本体２４１、描画バッファ２４２、映像補正部２５１、出力バッファ２５２、及び振動歪み補正部２５３の各々の処理に対応している。第１補正部４１及び第２補正部４２は、上記の複数のステップのうちの異なるステップ（描画部本体２４１の処理に対応するステップ、振動歪み補正部２５３の処理に対応するステップ）で第１補正処理及び第２補正処理を実行している。つまり、第１補正部４１は、描画部本体２４１の処理に対応するステップで第１補正処理を実行する。第２補正部４２は、振動歪み補正部２５３の処理に対応するステップで第２補正処理を実行する。このように、第１補正処理及び第２補正処理が、異なるステップで実行されることで、第１補正処理及び第２補正処理をそれらの特性（例えばリアルタイム性の有無）に合わせた処理段階で実行することができる。
【００５３】
描画部２４及び補正部２５はそれぞれ、例えば、ＣＰＵ（Central Processing Unit）及びメモリを主構成とするマイクロコンピュータにて構成されている。言い換えれば、描画部２４及び補正部２５はそれぞれ、ＣＰＵ及びメモリを有するコンピュータにて実現されており、ＣＰＵがメモリに格納されているプログラムを実行することにより、コンピュータが描画部２４又は補正部２５として機能する。描画部２４のプログラムは描画部２４のメモリに予め記録され、補正部２５のプログラムは補正部２５のメモリに予め記録されているが、インターネット等の電気通信回線を通じて、又はメモリカード等の記録媒体に記録されて提供されてもよい。
【００５４】
表示部２０は、図４に示すように、液晶パネル２０１、光源装置２０２、及び表示制御部２０３を有している。液晶パネル２０１は、画像形成部２１で形成された画像７００を表示する。光源装置２０２は、液晶パネル２０１に表示された画像７００を液晶パネル２０１の前方に照らし出す。表示制御部２０３は、液晶パネル２０１及び光源装置２０２を制御する。
【００５５】
液晶パネル２０１は、例えばＬＣＤ（Liquid Crystal Display）である。液晶パネル２０１は、光源装置２０２の前方に配置されている。液晶パネル２０１の前面（すなわち光源装置２０２とは反対側の表面）が、表示面２０ａを構成する。表示面２０ａに画像７００が表示される。
【００５６】
光源装置２０２は、液晶パネル２０１のバックライトとして用いられる。光源装置２０２の出力光は、液晶パネル２０１を透過して表示面２０ａから出力される。光源装置２０２は、発光ダイオード又はレーザダイオード等の固体発光素子を用いて、液晶パネル２０１の背面の略全域に光を照射する面光源である。
【００５７】
表示制御部２０３は、画像形成部２１から表示部２０に出力された画像７００に基づいて、液晶パネル２０１を駆動することで、表示面２０ａに画像７００を表示させる。また、表示制御部２０３は、光源装置２０２を点灯させて、液晶パネル２０１に表示された画像７００を液晶パネル２０１の前方に照らし出す。このとき液晶パネル２０１の前方に照らし出された光は、液晶パネル２０１に表示された画像７００を反映した光である。したがって、液晶パネル２０１に表示された画像は、光源装置２０２の出力光によって、液晶パネル２０１の前方に投影される。
【００５８】
表示制御部２０３は、例えば、ＣＰＵ（Central Processing Unit）及びメモリを主構成とするマイクロコンピュータにて構成されている。言い換えれば、表示制御部２０３は、ＣＰＵ及びメモリを有するコンピュータにて実現されており、ＣＰＵがメモリに格納されているプログラムを実行することにより、コンピュータが表示制御部２０３として機能する。プログラムは、表示制御部２０３のメモリに予め記録されているが、インターネット等の電気通信回線を通じて、又はメモリカード等の記録媒体に記録されて提供されてもよい。
【００５９】
このように構成された映像表示システム１０によれば、本体部１の姿勢変化に応じて虚像３００の表示位置を補正するときに、虚像３００に対応する画像７００の表示遅延を低減し、かつ虚像３００に対応する画像７００の描画範囲の制限を低減することができる。より詳細には、本体部１の姿勢変化に応じて対象空間４００での虚像３００の表示位置を補正するとき、その補正処理は、本体部１の第１姿勢変化に対する第１補正処理と、本体部１の第２姿勢変化に対する第２補正処理とに分けて実行される。そして、リアルタイム性が要求される第２補正処理は、表示部２０の前段の処理部（すなわち画像出力の最終段）である補正部２５で実行される。このため、第２補正処理による表示部２０の表示遅延を低減することができる。
【００６０】
また、リアルタイム性が要求されない第１補正処理は、描画部２４で実行される。このため、描画時に第１補正処理を考慮した描画を行うことで、画像７００の描画範囲を制限することなく、第１補正処理を実行することができる。
【００６１】
（４）変形例
上記の実施形態は、本開示の様々な実施形態の一つに過ぎない。上記の実施形態は、本開示の目的を達成できれば、設計等に応じて種々の変更が可能である。さらに、上記の実施形態に係る態様は、単体の映像表示システムで具現化されることに限らない。例えば、映像表示システム１０を備える移動体、映像表示システム１０を用いた映像表示方法で、上記の実施形態に係る態様が具現化されてもよい。また、上記の映像表示方法をコンピュータに実行させるためのプログラム、このプログラムを記憶した記憶媒体等で、上記の実施形態に係る態様が具現化されてもよい。以下に説明する変形例は、適宜組み合わせて適用可能である。
【００６２】
上記の実施形態では、１つの振動センサ５で、本体部１の第１姿勢変化及び第２姿勢変化の両方を検出し、２つのフィルタ６，７で、検出した第１姿勢変化及び第２姿勢変化を別々の姿勢信号に分離して出力したが、このように限定されない。例えば、振動センサ５を、第１振動センサ（第１検出部）と第２振動センサ（第２検出部）との２つのセンサに分けて設けてもよい。第１振動センサは、本体部１の第１姿勢変化を検出し、検出した第１姿勢変化を第１姿勢信号として出力する。第２振動センサは、本体部１の第２姿勢変化を検出し、検出した第２姿勢変化を第２姿勢信号として出力する。この場合は、ローパスフィルタ６及びハイパスフィルタ７は省略される。
【００６３】
また、投影部３は、少なくとも光学素子を有していればよく、第１ミラー３１及び第２ミラー３２の２つのミラーを有することは必須でなく、ミラーを１つのみ、又は３つ以上有していてもよい。さらに、投影部３は、例えばレンズ等、ミラー以外の光学部品を有していてもよい。
【００６４】
また、映像表示システム１０は、自動車１００の進行方向の前方に設定された対象空間４００に虚像３００を投影する構成に限らず、例えば、自動車１００の進行方向の側方、後方、又は上方等に虚像３００を投影してもよい。
【００６５】
また、映像表示システム１０は、自動車１００に用いられるヘッドアップディスプレイに限らず、例えば、二輪車、電車、航空機、建設機械、及び船舶等、自動車１００以外の移動体本体にも適用可能である。さらに、映像表示システム１０は、移動体に限らず、例えば、アミューズメント施設で用いられてもよい。また、映像表示システム１０は、ヘッドマウントディスプレイ（ＨＭＤ：Head Mounted Display）等のウェアラブル端末、医療設備、又は据置型の装置として用いられてもよい。また、映像表示システム１０は、例えば、電子ビューファインダ等として、デジタルカメラ等の機器に組み込まれて使用されてもよい。
【００６６】
また、本実施形態では、描画部２４、補正部２５及び表示制御部２０３は、互いに異なるＣＰＵ及びメモリで構成されるが、１つのＣＰＵ及び１つのメモリを、描画部２４、補正部２５及び表示制御部２０３で共用してもよい。また、１つのＣＰＵ及び１つのメモリを、描画部２４、補正部２５及び表示制御部２０３のうちの何れか２つで共有してもよい。
【００６７】
また、描画部２４は、ＣＰＵで構成される代わりに、ＧＰＵ（Graphics Processing Unit）で構成されてもよい。また、補正部２５は、ＣＰＵで構成される代わりに、ＦＰＧＡ（field-pro grammablegate array）で構成されてもよい。
【００６８】
（まとめ）
以上説明したように、第１の態様に係る映像表示システム（１０）は、描画部（２４）と、補正部（２５）と、表示部（２０）と、投影部（３）と、本体部（１）と、を備えている。描画部（２４）は、画像（７００）を描画する。補正部（２５）は、描画部（２４）で描画された画像（７００）を補正する。表示部（２０）は、補正部（２５）で補正された画像（７００）を表示する。投影部（３）は、表示部（２０）の出力光により、画像（７００）に対応する虚像（３００）を対象空間（４００）に投影する。本体部（１）は、表示部（２０）及び投影部（３）が設けられる。描画部（２４）は、本体部（１）の姿勢変化である第１姿勢変化を表す第１姿勢信号に基づいて、対象空間（４００）での虚像（３００）の表示位置を補正する第１補正処理を実行する。補正部（２５）は、本体部（１）の姿勢変化であって第１姿勢変化よりも変化速度の速い第２姿勢変化を表す第２姿勢信号に基づいて、対象空間（４００）での虚像（３００）の表示位置を補正する第２補正処理を実行する。
【００６９】
この構成によれば、本体部（１）の姿勢変化に応じて虚像（３００）の表示位置を補正するときに、虚像（３００）に対応する画像（７００）の表示遅延を低減し、かつ虚像（３００）に対応する画像（７００）の描画範囲の制限を低減することができる。より詳細には、本体部（１）の姿勢変化に応じて対象空間（４００）での虚像（３００）の表示位置を補正するとき、その補正処理は、第１補正処理と、第２補正処理とに分けて実行される。第１補正処理は、本体部（１）の姿勢変化である第１姿勢変化に対する補正処理であり、第２補正処理は、本体部（１）の姿勢変化であって第１姿勢変化よりも変化速度の速い第２姿勢変化に対する補正処理である。そして、リアルタイム性が要求される第２補正処理は、表示部（２０）の前段の処理部（すなわち画像出力の最終段）である補正部（２５）で実行される。このため、第２補正処理による表示部（２０）の表示遅延を低減することができる。
【００７０】
また、リアルタイム性が要求されない第１補正処理は、描画部（２４）で実行される。このため、描画時に第１補正処理を考慮した描画を行うことで、画像（７００）の描画範囲を制限することなく、第１補正処理を実行することができる。
【００７１】
第２の態様に係る映像表示システム（１０）では、第１の態様において、補正部（２５）は、画像（７００）に第２補正処理とは別の歪み補正処理を更に実行する。
【００７２】
この構成によれば、補正部（２５）は、歪み補正処理を行う補正部と兼用することができる。これにより、第２補正処理と歪み補正処理とを一緒に行うことができ、処理効率を向上することができる。
【００７３】
第３の態様に係る映像表示システム（１０）では、第１又は第２の態様において、補正部（２５）は、バッファ（２５２）と、を備える。バッファ（２５２）は、画像（７００）を保存する。補正部本体（２５３）は、バッファ（２５２）で保存された画像（７００）に第２補正処理を実行し、第２補正処理を実行した画像（７００）を表示部（２０）に出力する。
【００７４】
この構成によれば、バッファ（２５２）の後段かつ表示部（２０）の前段で第２補正処理が行われる。このため、第２補正処理による表示部（２０）の表示遅延をより一層低減することができる。
【００７５】
第４の態様に係る映像表示システム（１０）では、第１〜第３のいずれか１つの態様において、第１検出部（５，６）と、第２検出部（５，７）と、を更に備える。第１検出部（５，６）は、第１姿勢信号を出力する。第２検出部（５，７）は、第２姿勢信号を出力する。
【００７６】
この構成によれば、第１姿勢信号を出力する第１検出部（５，６）と、第２姿勢信号を出力する第２検出部（５，７）と、を備えた映像表示システムを提供することができる。
【００７７】
第５の態様に係る移動体は、第１〜第４のいずれか１つの態様に記載の映像表示システム（１０）と、映像表示システム（１０）が設けられた移動体本体（１００）と、を備える。
【００７８】
この構成によれば、上記の効果を奏する映像表示システムを移動体で実施することができる。
【００７９】
第６の態様に係る映像表示方法は、表示部（２０）と、投影部（３）と、本体部（１）と、を有する映像表示システムを用いた映像表示方法である。表示部（２０）は、画像（７００）を表示する。投影部（３）は、表示部（２０）の出力光により、画像（７００）に対応する虚像（３００）を対象空間（４００）に投影する。本体部（１）は、表示部（２０）及び投影部（３）が設けられる。上記の映像表示方法は、描画処理と、補正処理と、を含む。描画処理は、画像（７００）を描画する。補正処理は、描画処理で描画された画像（７００）を補正して表示部（２０）に出力する。描画処理は、本体部（１）の姿勢変化である第１姿勢変化を表す第１姿勢信号に基づいて、対象空間（４００）での虚像（３００）の表示位置を補正する第１補正処理を含む。補正処理は、本体部（１）の姿勢変化であって第１姿勢変化よりも変化速度の速い第２姿勢変化を表す第２姿勢信号に基づいて、対象空間（４００）での虚像（３００）の表示位置を補正する第２補正処理を含む。
【００８０】
この方法によれば、本体部（１）の姿勢変化に応じて虚像（３００）の表示位置を補正するときに、虚像（３００）に対応する画像（７００）の表示遅延を低減し、かつ虚像（３００）に対応する画像（７００）の描画範囲の制限を低減することができる。より詳細には、本体部（１）の姿勢変化に応じて対象空間（４００）での虚像（３００）の表示位置を補正するとき、その補正処理は、第１補正処理と、第２補正処理とに分けて実行される。第１補正処理は、本体部（１）の姿勢変化である第１姿勢変化に対する補正処理であり、第２補正処理は、本体部（１）の姿勢変化であって第１姿勢変化よりも変化速度の速い第２姿勢変化に対する補正処理である。そして、リアルタイム性が要求される第２補正処理は、表示部（２０）の前段の処理部（すなわち画像出力の最終段）である補正部（２５）で実行される。このため、第２補正処理による表示部（２０）の表示遅延を低減することができる。
【００８１】
また、リアルタイム性が要求されない第１補正処理は、描画部（２４）で実行される。このため、描画時に第１補正処理を考慮した描画を行うことで、画像（７００）の描画範囲を制限することなく、第１補正処理を実行することができる。
【００８２】
第７の態様に係るプログラムは、コンピュータに、第６の態様の映像表示方法を実行させるためのプログラム。
【００８３】
このプログラムによれば、汎用のコンピュータを用いた場合でも、本体部（１）の姿勢変化に応じて虚像（３００）の表示位置を補正するときに、画像（７００）の表示遅延を低減し、かつ画像（７００）の描画範囲の制限を低減することができる。
【符号の説明】
【００８４】
１  本体部
３  投影部
５  振動センサ（第１センサ、第２センサ）
６  ローパスフィルタ
７  ハイパスフィルタ
１０  映像表示システム
２０  表示部
２４  描画部
２５  補正部
４１  第１補正部
４２  第２補正部
１００  自動車（移動体本体）
２５２  出力バッファ（バッファ）
２５３  振動・歪み補正部（補正部本体）
３００  虚像
４００  対象空間
７００  画像
【図１】
2019164318.tif 000003
【図２】
2019164318.tif 000004
【図３】
2019164318.tif 000005
【図４】
2019164318.tif 000006